(57)【要約】【課題】  車載オーディオ装置の音量を調節してゼロにすることにより一時的に音を出力しない様にした場合でも、音量がゼロから増大したときに再生が大きく先に進んでいないようにする。【解決手段】  車載オーディオ装置は、  受け付けた音量の減少の操作によって、出力音量値がゼロとなることを判定すると（ステップ２１０）、楽曲再生部２による音データの再生を停止（一時邸を含む）させる（ステップ２２０）。そして、受け付けた音量の増大の操作によって、出力音量値がゼロから増大することを判定すると（ステップ２３０）、停止した位置からその楽曲データの再生を再開させ（ステップ２４０）、さらに、再生を再開させた音の出力音量を、基準時間以上持続した復帰用音量値に変化させる。【選択図】 図２
2006065981.tif 000002
【特許請求の範囲】
【請求項１】
記憶媒体に記憶された音データを再生する再生手段と、
ユーザによる音量の増加の操作および音量の減少の操作を受け付ける受付手段と、
前記受付手段が受け付けた音量の増加および減少の操作に基づいて、前記再生手段によって再生される音の出力音量を多段階的にまたは連続的に変化させる制御手段と、を備え、
前記制御手段は、前記受付手段が受け付けた音量の減少の操作によって、前記出力音量値がゼロとなることを判定する第１判定手段と、
前記第１判定手段の判定に基づいて、前記再生手段による音データの再生を停止させる再生停止手段と、を有することを特徴とする音再生装置。
【請求項２】
前記制御手段は、前記受付手段が受け付けた音量の増大の操作によって、前記出力音量値がゼロから増大することを判定する第２判定手段と、
前記第２判定手段の判定に基づいて、前記再生停止手段が停止させた音データの再生を再開させる再生再開手段と、を有することを特徴とする請求項１に記載の音再生装置。
【請求項３】
前記制御手段は、基準時間以上持続したゼロ以外の音量値を記憶媒体に記憶させる記憶制御手段と、
前記再生再開手段が再生を再開させた音データの出力音量を、前記記憶制御手段が記憶媒体に記憶させた音量値に基づく音量に変化させる音量設定手段と、を有することを特徴とする請求項２に記載の音再生装置。
【請求項４】
前記受付手段は、記憶媒体に記憶された音データの再生を開始する旨の操作を受け付け、
前記制御手段は、前記受付手段が受け付けた音データの再生を開始する旨の操作に基づいて、前記再生手段に当該音データの再生を開始させる再生開始手段を有し、
前記音量設定手段は、前記再生開始手段が再生を開始させる音の出力音量を、前記記憶制御手段が記憶媒体に記憶させた音量値に基づく音量に変化させることを特徴とする請求項３に記載の音再生装置。
【請求項５】
記憶媒体に記憶された音データを再生する再生手段と、
ユーザの発する音声を認識し、その認識した音声に基づく作動を行う音声認識手段と、
前記音声認識手段が音声を認識するときに、前記再生手段によって再生される音の出力音量をゼロに変化させ、前記再生手段による音データの再生を停止させる制御手段と、を備えた音再生装置。
【発明の詳細な説明】
【技術分野】
【０００１】
本発明は、音を再生する音再生装置に関し、特に車載用の音再生装置に用いて好適である。
【背景技術】
【０００２】
デジタルＴＶ放送のサービス開始、家庭用デジタルビデオ再生装置の普及、ハードディスクに記憶されたＭＰ３形式やＷＭＡ形式等の楽曲データの再生装置の普及に見られるように、近年音再生装置としてのオーディオ機器は、家電用途、車載用途を問わず、以前にも増して利用度が高まってきており、現代社会に必要不可欠なものとなってきている。
【０００３】
音再生装置は、音声や楽曲など音を再生し出力する装置である。このような音再生装置には、来客や電話等の割り込み時にユーザの操作によって一時的に音を出力しないようにするミュート機能やポーズ機能を有しているものが多い。
【０００４】
しかし、これらの機能は普段あまり利用される機能ではないため、前述の割り込み時のようなとっさの場面に応じてユーザが即座に操作しやすい機能であるとはいえない。むしろこのような場面で、一時的に音を出力しない様にするには「音再生装置の電源を切る」「音再生装置の出力音量を調節することで、音量をゼロにする」といったように、電源オン／オフ操作、音量調整操作等、よく利用する操作を音声ミュート操作の代わりとして用いていることが多いのが現実である。
【発明の開示】
【発明が解決しようとする課題】
【０００５】
しかし、音量を調節してゼロにすることにより一時的に音を出力しないようにした場合、音声や楽曲の再生自体は進行し続けるため、再度音量をゼロから増大させた際に、聞きたかった部分の再生が既に終了している場合があるという問題点があった。
【０００６】
本発明は上記問題点に鑑み、音再生装置の音量を調節してゼロにすることにより一時的に音を出力しない様にした場合でも、音量がゼロから増大したときに再生が大きく先に進んでいないようにすることを第１の目的とする。
【０００７】
また、音再生装置が音声認識に基づいて作動する場合、その音声認識の際に認識率を高めるために音の再生音量をゼロにする場合にも、同じく音量増大時に再生が進んでしまっているという問題が生じる。
【０００８】
本発明は上記問題点に鑑み、音声認識の際に一時的に音を出力しない様にした場合でも、音量がゼロから増大したときに再生が大きく先に進むことがないようにすることを目的とする。
【課題を解決するための手段】
【０００９】
上記目的を達成するための請求項１に記載の発明は、記憶媒体に記憶された音データを再生する再生手段と、ユーザによる音量の増加の操作および音量の減少の操作を受け付ける受付手段と、前記受付手段が受け付けた音量の増加および減少の操作に基づいて、前記再生手段によって再生される音の出力音量を多段階的にまたは連続的に変化させる制御手段と、を備え、前記制御手段は、前記受付手段が受け付けた音量の減少の操作によって、前記出力音量値がゼロとなることを判定する第１判定手段と、前記第１判定手段の判定に基づいて、前記再生手段による音データの再生を停止させる再生停止手段と、を有することを特徴とする音再生装置である。
【００１０】
このように、音再生装置は、ユーザによる音量の減少の操作によって、再生する音データの出力音量がゼロとなると、その音データ再生を停止させるので、音再生装置の音量を調節してゼロにすることにより一時的に音を出力しない様にした場合でも、音量がゼロから増大したときに再生が大きく先に進むことがない。
【００１１】
なお、音再生装置が再生する音データとは、ＣＤ−ＤＡ規格の楽曲データ、映画等の映像データに含まれる音声データ等を含む概念である。また、多段階とは、３段階以上の段階をいう。
【００１２】
また、請求項２に記載の発明は、請求項１に記載の音再生装置において、前記制御手段は、前記受付手段が受け付けた音量の増大の操作によって、前記出力音量値がゼロから増大することを判定する第２判定手段と、前記第２判定手段の判定に基づいて、前記再生停止手段が停止させた音データの再生を再開させる再生再開手段と、を有することを特徴とする。
【００１３】
このようになっているので、ユーザが音量をゼロにするために急激に音量を下げる操作を行った場合でも、音量がゼロから増大させる操作を行えば、再生が再開する。
【００１４】
また、請求項３に記載の発明は、請求項２に記載の音再生装置において、前記制御手段は、基準時間以上持続したゼロ以外の音量値を記憶媒体に記憶させる記憶制御手段と、前記再生再開手段が再生を再開させた音データの出力音量を、前記記憶制御手段が記憶媒体に記憶させた音量値に基づく音量に変化させる音量設定手段と、を有することを特徴とする。
【００１５】
このようになっているので、ユーザが音量をゼロにするために急激に音量を下げる操作を行った場合でも、音量がゼロから増大させる操作を行えば、基準時間以上持続した音量値に復帰できる。
【００１６】
また、請求項４に記載の発明は、請求項３に記載の音再生装置において、前記受付手段は、記憶媒体に記憶された音データの再生を開始する旨の操作を受け付け、前記制御手段は、前記受付手段が受け付けた音データの再生を開始する旨の操作に基づいて、前記再生手段に当該音データの再生を開始させる再生開始手段を有し、前記音量設定手段は、前記再生開始手段が再生を開始させる音の出力音量を、前記記憶制御手段が記憶媒体に記憶させた音量値に基づく音量に変化させることを特徴とする。
【００１７】
このようになっているので、ユーザが音量をゼロにするために急激に音量を下げる操作を行った場合でも、再生を開始する旨の操作をすれば、基準時間以上持続した音量値に復帰できる。
【００１８】
また請求項５に記載の発明は、記憶媒体に記憶された音データを再生する再生手段と、ユーザの発する音声を認識し、その認識した音声に基づく作動を行う音声認識手段と、前記音声認識手段が音声を認識するときに、前記再生手段によって再生される音の出力音量をゼロに変化させ、前記再生手段による音データの再生を停止させる制御手段と、を備えた音再生装置である。
【００１９】
このようになっているので、音再生装置は、音声認識手段が音声を認識するときに、音量をゼロにすると共に音の再生を停止させるので、音声認識の際に一時的に音を出力しない様にした場合でも、音量がゼロから増大したときに再生が大きく先に進むことがない。
【発明を実施するための最良の形態】
【００２０】
以下、本発明の一実施形態について説明する。図１に、本実施形態の車載オーディオ装置（音再生装置に相当する）１０のハードウェア構成を示す。車載オーディオ装置１０は、オーディオ制御部１、楽曲再生部２、操作部３、表示部４、記憶媒体５、タイマ部６、音量設定部７、および楽曲出力部８を有している。
【００２１】
オーディオ制御部１はＣＰＵ等から成り、ＲＡＭ、ＲＯＭ、フラッシュメモリ等から成る記憶媒体５からプログラムを読み出して実行することで、そのプログラムの内容に基づいて車載オーディオ装置１０の各部と信号のやりとりを行う。オーディオ制御部１の実行するプログラムについては後述する。
【００２２】
楽曲再生部２は、オーディオ制御部１からの制御信号に基づいて、ＣＤ−ＲＯＭ、ＭＤ、ＤＶＤ−ＲＯＭ、ハードディスク等の記憶媒体に記憶された楽曲データを読み出して、その読み出した楽曲の内容をアナログ音信号として音量設定部７に出力する、すなわち再生するようになっている。
【００２３】
楽曲再生部２は、具体的には、ＣＤ−ＲＯＭに記憶された楽曲データを再生するＣＤ再生装置２１、ＭＤに記憶された楽曲データを再生するＭＤ再生装置２２、ＤＶＤに記憶された楽曲データを再生するＤＶＤ再生装置２３、ＨＤＤに記憶されたＭＰ３（Ｍｐｅｇ１  Ａｕｄｉｏ  Ｌａｙｅｒ  ３）形式の楽曲データを再生するＭＰ３再生装置２４、ＨＤＤに記憶されＷＭＡ形式の楽曲データを再生するＷＭＡ再生装置２５を有している。
【００２４】
また、これら再生装置２１〜２５はそれぞれ、オーディオ制御部１から再生開始信号を受けると、それぞれの記憶媒体に記憶された楽曲データの再生を、現在の再生停止位置から開始し、オーディオ制御部１から停止信号を受けると、再生中の楽曲データの再生を停止する。また再生装置２１〜２５はそれぞれ、オーディオ制御部１から一時停止（ポーズ）信号を受けると、再生中の楽曲データの再生を一時停止し、オーディオ制御部１から一時停止解除信号を受けると、その一時停止していた再生位置から当該楽曲の再生を再開する。
【００２５】
操作部３は、ユーザの再生装置選択操作、再生開始操作、再生停止操作、一時停止／解除切り替え操作、音量増加操作、音量減少操作を受け付けるためのメカニカルスイッチ等を有し、ユーザの上記操作に基づいた信号をオーディオ制御部１に出力する。
【００２６】
表示部４は、オーディオ制御部１から受けた信号に基づいて、再生楽曲名称等の文字または画像を表示させる。
【００２７】
タイマ部６は、オーディオ制御部１からタイマ起動信号を受けると、時間の経過を計測し始め、最後に起動信号を受けてから基準時間が経過すると、オーディオ制御部１にタイムアウト信号を出力する。なお、この基準時間は固定であってもよいし、ユーザが自由に設定できるようになっていてもよい。
【００２８】
音量設定部７は、楽曲再生部２の各再生装置２１〜２５から出力されたアナログ音信号を受け、そのアナログ信号の音量を調節して楽曲出力部８に出力する。この音量設定部７は、オーディオ制御部１から受けた音量指定信号に基づいて、楽曲出力部８に出力するアナログ音信号の音量を調整する。また、オーディオ制御部１からのミュート信号に基づいて、楽曲出力部８への音信号の出力を停止する。また、オーディオ制御部１からのミュート解除信号に基づいて、停止していた楽曲出力部８への音信号の出力を再開する。
【００２９】
楽曲出力部８は、車内の各部に設置された複数のスピーカから成り、音量設定部７からのアナログ音信号に基づいた音を、ユーザが聞き取れるように出力する。
【００３０】
次に、オーディオ制御部１の具体的な作動について説明する。
【００３１】
オーディオ制御部１は、操作部３からの信号によって、再生停止操作があったことを検出すると、現在楽曲を再生している再生装置に対して停止信号を出力する。
【００３２】
また、オーディオ制御部１は、操作部３からの信号によって、一時停止／解除切り替え操作があったことを検出すると、現在楽曲を再生している再生装置が一時停止状態でなければ、その再生装置に対して一時停止信号を出力し、一時停止状態であれば、その再生装置に対して一時停止解除信号を出力する。  
【００３３】
また、オーディオ制御部１は、操作部３からの信号によって、音量増加操作または音量減少操作があったことを検出すると、図２に示す音量変更操作受付処理プログラム２００を実行し、まずステップ２１０で、変更された音量がゼロであるか否かを判定する。具体的には、検出した操作が音量増加操作である場合、記憶媒体５に記憶された音量値を所定の変化値だけ増加させ、検出した操作が音量減少操作である場合、記憶媒体５に記憶された音量値を所定の値だけ減少させ、この変更後の記憶媒体５の音量値がゼロであるか否かを判定する。ゼロであれば続いてステップ２２０を実行し、ゼロでなければ続いてステップ２３０を実行する。
【００３４】
ステップ２２０では、音データの再生を停止させるための処理を行う。この処理の詳細については後述する。
【００３５】
ステップ２３０では、変更直前の記憶媒体５の音量がゼロであったか否かを判定し、ゼロであったなら続いてステップ２４０を実行し、ゼロでなかったならステップ２５０を実行する。
【００３６】
ステップ２４０では、停止させた音データの再生を再開させるための処理を実行する。この処理の詳細については後述する。
【００３７】
ステップ２５０では、音量変更処理を行う。具体的には、変更後の記憶媒体５の音量値を含む音量指定信号をタイマ部６に出力する。
【００３８】
ステップ２５０に続いては、ステップ２６０で、タイマ起動を行う。すなわち、音量設定部７に起動信号を出力する。
【００３９】
ステップ２２０、２４０、２６０の後、音量変更操作受付処理プログラム２００の実行は終了する。
【００４０】
なお、オーディオ制御部１は、ステップ２６０で起動信号を出力すると、その後再度の操作部３に対する音量増加または音量減少の操作が基準時間内にない限り、その基準時間後にタイマ部６からタイムアウト信号を受ける。このときオーディオ制御部１は、図３に示すタイムアウト処理プログラム３００の実行を開始し、ステップ３１０で、記憶媒体５に記憶された現在の音量値を、復帰用音量値として、記憶媒体５のフラッシュメモリに書き込み、タイムアウト処理プログラム３００の実行を終了する。
【００４１】
以上のような音量変更操作受付処理プログラム２００をオーディオ制御部１が実行することで、車載オーディオ装置１０は、音量増加または減少の操作が行われると、その変更によって音量値がゼロとなる場合、およびその変更によって音量値がゼロから増加する場合を除いて、出力音量を上記の変化値の幅で多段階的に変化させる。
【００４２】
ここで、ステップ２２０のミュート処理について説明する。図４に、このミュート処理を実現するためのミュート処理プログラムのフローチャートを示す。
【００４３】
オーディオ制御部１は、ミュート処理においては、まずステップ４１０で、現在楽曲再生部２の再生装置２１〜２５のいずれかが楽曲再生中であるか否かを判定し、再生中であれば続いてステップ４２０を実行し、再生中でなければ続いてステップ４３０を実行する。
【００４４】
ステップ４２０では、再生中止要求を行う。具体的には、停止信号を、再生中の楽曲再生装置に出力する。なお、停止信号ではなく一時停止信号を出力するようになっていてもよい。ステップ４２０に続いてはステップ４３０を実行する。
【００４５】
ステップ４３０では、音量設定部７にミュート信号を出力し、その後ミュート処理プログラム４００の実行を終了する。
【００４６】
次に、ステップ２４０のミュート解除処理について説明する。図５に、このミュート解除処理を実現するためのミュート解除処理プログラム５００のフローチャートを示す。
【００４７】
オーディオ制御部１は、ミュート解除処理においては、まずステップ５１０で、再生中止中か否かを判定する。再生中止中とは、再生装置２１〜２５のうち、現在再生中のものが１つもないことをいう。再生中止中の場合、続いてステップ５２０を実行し、中止中でない場合、続いてステップ５３０を実行する。
【００４８】
ステップ５２０では、再生再開要求を行う。具体的には、再生装置２１〜２５のうち、全てが再生停止中の場合は、最後に再生停止した再生装置に再生開始信号を出力する。また、再生装置２１〜２５のうち、再生一時停止中のものがあれば、その再生装置に一時停止解除信号を出力する。ステップ５２０に続いてはステップ５３０を実行する。
【００４９】
ステップ５３０では、復帰音量設定を行う。具体的には、記憶媒体５に記憶されている復帰用音量値を読み出し、この復帰用音量値を指定する音量指定信号を音量設定部７に出力する。これによって、音量設定部７は、楽曲出力部８に出力する音量を、その復帰音量値に調整する。
【００５０】
続いてステップ５４０では、音量設定部７にミュート解除信号を出力し、その後ミュート解除処理プログラム５００の実行を終了する。
【００５１】
以上のような音量変更操作受付処理プログラム２００、タイムアウト処理プログラム３００、ミュート処理プログラム４００、ミュート解除処理プログラム５００をオーディオ制御部１が実行することで、車載オーディオ装置１０は、操作部３が受け付けた音量の減少の操作によって出力音量値がゼロとなることを判定すると（ステップ２１０参照）、楽曲再生部２による音データの再生を停止（一時停止を含む）させる（ステップ４２０参照）。したがって、車載オーディオ装置１０は、ユーザが音量をゼロに調整することにより一時的に音を出力しない様にした場合でも、音量がゼロから増大したときに再生が大きく先に進むことがない。
【００５２】
また、オーディオ制御部１は、タイマ部６を用いることにより、基準時間以上持続したゼロ以外の音量値を復帰用音量値を記憶媒体５に記憶させ（ステップ３１０参照）、操作部３が受け付けた音量の増大の操作によって、出力音量値がゼロから増大することを判定すると（ステップ２１０、２３０参照）、楽曲再生部２が停止した楽曲データの再生を再開させ（ステップ５２０参照）、さらに、再生を再開させた音の出力音量を、記憶媒体に記憶させた復帰用音量値に基づく音量に変化させる（ステップ５３０参照）。このようになっているので、車載オーディオ装置１０は、ユーザが音量をゼロにするために急激に音量を下げる操作を行った場合でも、音量がゼロから増大すれば、再生音量値を基準時間以上持続した音量値に復帰できる。
【００５３】
次に、車載オーディオ装置１０がどの楽曲も再生していないときに、操作部３からの信号によって、再生開始操作があったことを検出したときにオーディオ制御部１が行う再生開始操作受付処理について説明する。この処理を実現するためにオーディオ制御部１が実行する再生開始操作受付処理プログラム６００を図６に示す。オーディオ制御部１は、この再生開始操作受付処理において、まずステップ６１０で、現在の音量がゼロであるか否かを、記憶媒体５中の現在の音量値がゼロであるか否かで判定する。ゼロである場合続いてステップ６１５を実行し、ゼロでない場合続いてステップ６２０を実行する。
【００５４】
ステップ６１５では、図５のステップ５３０と同じ処理で復帰音量設定を行う。ステップ６１５に続いては、ステップ６２０を実行する。
【００５５】
ステップ６２０、６２５では、現在音量設定部７がミュート中である場合には、音量設定部７にミュート解除信号を出力する。
【００５６】
続いてステップ６３０では、現在再生中止中であるか否かを判定する。再生中止中でない場合とは、例えば車載オーディオ装置１０への電源投入直後、まだどの楽曲も再生されていない場合をいう。それ以外の場合は、現在再生中止中であると判定する。再生中止中であれば、続いてステップ６４０を実行し、中止中でなければ、続いてステップ６３５を実行する。
【００５７】
ステップ６３５では、再生開始処理を行う。具体的には、再生装置２１〜２５のうち、操作部３に対する再生装置選択操作によって選択された再生装置に、再生開始信号を出力する。
【００５８】
ステップ６４０では、再生開始操作が、再生中止中の再生装置と同一の再生装置に対する再生開始の要求であるか否かを、操作部３に対する再生装置選択操作に基づいて判定する。再生開始操作が、再生中止中の再生装置と同一の再生装置に対する再生開始の要求であれば、続いてステップ６５５を実行し、そうでなければ続いてステップ６４５を実行する。
【００５９】
ステップ６４５では、一時停止中の再生装置の停止を行う。具体的には、再生装置２１〜２５のうち、一時停止中のものがあれば、その再生装置に停止信号を出力する。
【００６０】
続いてステップ６５０では、再生開始処理を行う。具体的には、再生装置２１〜２５のうち、操作部３に対する再生装置選択操作によって選択された再生装置に、再生開始信号を出力する。
【００６１】
ステップ６５５では、現在再生中止中の再生装置に、ステップ５２０と同じ処理で、再生再開要求を行う。
【００６２】
ステップ６３５、６５０、６５５の後、再生開始操作受付処理プログラム６００の実行は終了する。
【００６３】
以上のような再生開始操作受付処理プログラム６００をオーディオ制御部１が実行することで、車載オーディオ装置１０は、操作部３が受け付けた楽曲データの再生を開始する旨の操作に基づいて、再生を開始させる音の出力音量を、記憶媒体５に記憶させた復帰用音量値に基づく音量に変化させ（ステップ６１５参照）、その後、楽曲再生部２に当該楽曲データの再生を開始させる（ステップ６３０〜６５５参照）。
【００６４】
このようになっているので、ユーザが車載オーディオ装置１０に対して音量をゼロにするために急激に音量を下げる操作を行った場合でも、再生を開始する旨の操作をすれば、基準時間以上持続した音量値に復帰できる。
【００６５】
なお、上記の実施形態において、楽曲再生部２が再生手段に相当し、操作部３が受付手段に相当し、オーディオ制御部１が制御手段に相当する。
【００６６】
また、オーディオ制御部１が、音量変更操作受付処理プログラム２００のステップ２１０を実行することで、第１判定手段として機能する。
【００６７】
また、オーディオ制御部１が、音量変更操作受付処理プログラム２００のステップ２２０を実行することで、再生停止手段として機能する。
【００６８】
また、オーディオ制御部１が、タイムアウト処理プログラム３００を実行することで、記憶制御手段として機能する。
【００６９】
また、オーディオ制御部１が、音量変更操作受付処理プログラム２００のステップ２３０を実行することで、第２判定手段として機能する。
【００７０】
また、オーディオ制御部１が、ミュート解除処理プログラム５００のステップ５１０、５２０および５４０を実行することで、再生再開手段として機能する。
【００７１】
また、オーディオ制御部１が、ミュート解除処理プログラム５００のステップ５３０を実行することで、また、再生開始操作受付処理プログラム６００のステップ６１０および６１５を実行することで、音量設定手段として機能する。
【００７２】
また、オーディオ制御部１が、再生開始操作受付処理プログラム６００のステップ６３０〜６５５を実行することで再生開始手段として機能する。
（他の実施形態）
また、上記の実施形態においては、ユーザの音量の増減の操作に基づいて、楽曲の停止、再開が行われるようになっているが、このような作動は、必ずしもユーザの音量の増減の操作に基づくものでなくともよい。
【００７３】
例えば、車載オーディオ装置１０が、マイク等の音声入力装置を有し、オーディオ制御部１が、この音声入力装置によって入力されたユーザの音声を認識し、その認識した音声に基づく作動を行うような、周知の音声認識機能（音声認識手段に相当する）を有している場合、その音声認識機能を実現するオーディオ制御部１が音声を認識するときに、楽曲再生部２によって再生される音の出力音量をゼロに変化させ、楽曲再生部２による音データの再生を停止させるようになっていてもよい。
【００７４】
このようになっているので、車載オーディオ装置１０は、音声認識機能が音声を認識するときに、音量をゼロにすると共に音の再生を停止させるので、音声認識の際に一時的に音を出力しない様にした場合でも、音量がゼロから増大したときに再生が大きく先に進むことがない。また、この際、上記の実施形態のように、楽曲の再生の再開時の音量は、記憶媒体５に記憶された、基準時間以上持続した復帰用音量値に基づいたものであってもよい。
【００７５】
また、上記の実施形態では、車載オーディオ装置１０は、音量増加または減少の操作が行われると、音量を多段階的に変化させるようになっているが、多段階でなくとも、無段階的に、すなわち連続的に変化させるようになっていてもよい。
【００７６】
また、楽曲データの再生は、オーディオ制御部１が行うようになっていてもよい。
【００７７】
また、ステップ５２０、６５５におけるオーディオ制御部１の処理によって再開される楽曲再生部２の楽曲データの再生位置は、必ずしもその楽曲の停止位置、一時停止位置でなくともよい。例えば、停止位置、一時停止位置の５秒前から再開するようになっていてもよい。すなわち、再開したときに再生が大きく進んでいなければ足りる。
【００７８】
また、上記の実施形態では、車載オーディオ装置１０は、ユーザによる音量増大の操作によって音量がゼロから増大したことを検出すると、図５のステップ５３０に示したように、再生再開時の音量を、記憶しておいた復帰用音量値に変化させるようになっているが、このようなステップ５３０の処理は必ずしも必要ではない。例えば、図５のフローチャートにおいて、ステップ５１０、５２０に続いては、ステップ５３０を実行せずステップ５４０を実行するようにすることで、車載オーディオ装置１０は、ユーザによる音量増大の操作によって音量がゼロから増大したことを検出すると、再生再開時の音量を、その音量増大の操作そのものに従った音量（すなわちゼロから１操作分増大した音量）にするようになっていてもよい。すなわち、車載オーディオ装置１０は、受け付けた音量の増大の操作によって出力音量値がゼロから増大することの判定に基づいて、ゼロ以外の音量で音データの再生を再開させるようになっていれば足りる。
【図面の簡単な説明】
【００７９】
【図１】本発明の実施形態に係る車載オーディオ装置１０の構成を示す図である。
【図２】音量変更操作受付処理プログラム２００のフローチャートである。
【図３】タイムアウト処理プログラム３００のフローチャートである。
【図４】ミュート処理プログラム４００のフローチャートである。
【図５】ミュート解除処理プログラム５００のフローチャートである。
【図６】再生開始操作受付処理プログラム６００のフローチャートである。
【符号の説明】
【００８０】
１…オーディオ制御部、２…楽曲再生部、３…操作部、４…表示部、５…記憶媒体、
６…タイマ部、７…音量設定部、８…楽曲出力部、１０…車載オーディオ装置、
２１…ＣＤ再生装置、２２…ＭＤ再生装置、２３…ＤＶＤ再生装置、
２４…ＭＰ３再生装置、２５…ＷＭＡ再生装置、
２００…音量変更操作受付処理プログラム、３００…タイムアウト処理プログラム、
４００…ミュート処理プログラム、５００…ミュート解除処理プログラム、
６００…再生開始操作受付処理プログラム。
【図１】
2006065981.tif 000003
【図２】
2006065981.tif 000004
【図３】
2006065981.tif 000005
【図４】
2006065981.tif 000006
【図５】
2006065981.tif 000007
【図６】
2006065981.tif 000008